(57)【特許請求の範囲】
【請求項１】
異なる印字機構を複数個備えた複合出力機器において、
電子写真印字機構を有し単独で動作可能な第一の出力手段と、
インクジェット印字機構を有し単独で動作可能な第二の出力手段と、
前記第１の出力手段と前記第二の出力手段とを相互に連結する連結手段と、
前記連結手段による連結時に、前記双方の出力手段が互いに関連して複合印字動作するように制御する制御手段と、
前記第一の出力手段と前記第二の出力手段とが相互に連結されたか否かを検出する検出手段と、
外部から印字情報が入力される前記出力手段に設けられ、前記検出手段が両出力手段の連結を検出したときに、前記入力された印字情報を分割するための分割手段とを備え、
前記印字情報が入力された出力手段は、前記検出手段が両出力手段の連結を検出したとき、前記分割手段により分割された印字情報の中で自己の印字機構で印字しない印字情報を、別の出力手段に送信し、前記検出手段が両出力手段の連結を検出しないとき、前記入力された印字情報の全てを印字することを特徴とする複合出力機器。
【請求項２】
前記分割手段は、前記第一の出力手段に設けられ、その分割手段によって分割された別々の印字情報を、前記第一の出力手段及び第二の出力手段により各々印字出力することを特徴とする請求項１に記載の複合出力機器。
【請求項３】
前記分割手段は、前記印字情報をモノクロ情報とカラー情報とに分割し、そのモノクロ情報を前記第一の出力手段によって印字出力し、カラーの情報を前記第二の出力手段によって印字出力するように構成したことを特徴とする請求項１又は２に記載の複合出力機器。
【請求項４】
前記分割手段は、前記印字情報をモノクロのテキスト情報と、カラー及びグラフィック中のモノクロ情報とに分割し、そのモノクロのテキスト情報を前記第一の出力手段によって印字出力し、カラー及びグラフィック中のモノクロ情報を前記第二の出力手段によって印字出力するように構成したことを特徴とする請求項１又は２に記載の複合出力機器。
【請求項５】
前記連結手段による連結時には、前記第二の出力手段を前記第一の出力手段に対して下流側に配置し、前記第一の出力手段による印字出力がなされた後に、前記第二の出力手段による印字出力を行うように構成したことを特徴とする請求項１乃至請求項４のいずれかに記載の複合出力機器。
【請求項６】
前記第一の出力手段及び前記第二の出力手段は、それぞれ印字された記録媒体が排出される排出口と、記録媒体が挿入される挿入口とを有し、前記第一の出力手段による印字出力がなされた記録媒体は、第一の出力手段の排出口から排出されると共に、第二の出力手段の挿入口に連続して挿入されることを特徴とする請求項５に記載の複合出力機器。
【請求項７】
前記検出手段により両出力手段が連結されたことが検出された場合、前記第一の出力手段による出力速度を、単独で動作している場合よりも遅くすることを特徴とする請求項１乃至請求項６のいずれかに記載の複合出力機器。
【請求項８】
前記検出手段は、前記第一の出力手段と第二の出力手段とが連結されたことが検出された場合に、前記電子写真印字機構に対して信号を出力する感知部を備えていることを特徴とする請求項７に記載の複合出力機器。
【発明の詳細な説明】
【０００１】
【産業上の利用分野】
本発明は、パーソナルコンピュータ等の出力のハードコピーを生成する出力機器に関するものである。
【０００２】
【従来の技術】
従来、パーソナルコンピュータ等の出力のハードコピーを生成する出力機器としては、電子写真方式、インクジェット方式、熱転写方式、熱昇華方式などが用いられている。そして、これらの方式を用いた印字機構を有する出力機器が、それぞれ単体で使用されていた。
【０００３】
【発明が解決しようとする課題】
しかしながら、上述した電子写真方式を用いた場合、モノクロの印字においては高速の印字が可能で、高い画質を得ることができるが、基本的に構成が複雑であり、この電子写真方式を用いてカラー出力を行うには、さらに、構成が複雑となり、装置が大型化し高価になるという欠点があった。
【０００４】
一方、インクジェット方式を用いた場合、装置の基本構成が比較的簡単であり、カラー出力が可能な構成としても比較的小型で低価格な装置を実現することができる。しかし、このインクジェット方式は、専用の特殊紙を用いた場合には比較的高い解像度を実現できるが、一般的に用いられている用紙を用いた場合には、にじみを発生して、特に、テキストを印字した場合には印字品質が低下するという問題があった。また、一般的に、テキスト用の黒印字は濃度が濃く、グラフィック中の黒印字は濃度が薄い方が画質的に好ましいとされており、１種類の黒インクで対応することは困難であった。
【０００５】
さらに、熱転写方式及び熱昇華方式では、比較的簡単な構成で高い印字品質の出力が得られるが、印字に伴って多量のインクリボンを消費するため、ランニングコストが高くなるという欠点があった。
【０００６】
本発明は、上述した問題点を解決するためになされたものであり、カラー出力を可能とし、簡単な構成で、品質の高い出力結果を得ることができる複合出力機器を提供することを目的としている。
【０００７】
【課題を解決するための手段】
この目的を達成するために、本発明の複合出力機器は、異なる印字機構を複数個備えた複合出力機器において、電子写真印字機構を有し単独で動作可能な第一の出力手段と、インクジェット印字機構を有し単独で動作可能な第二の出力手段と、前記第一の出力手段と前記第二の出力手段とを相互に連結する連結手段と、その連結手段による連結時に、前記双方の出力手段が互いに関連して複合印字動作するように制御する制御手段と、前記第一の出力手段と前記第二の出力手段とが相互に連結されたか否かを検出する検出手段と、外部から印字情報が入力される前記出力手段に設けられ、前記検出手段が両出力手段の連結を検出したときに、前記入力された印字情報を分割するための分割手段とを備え、前記印字情報が入力された出力手段は、前記検出手段が両出力手段の連結を検出したとき、前記分割手段により分割された印字情報の中で自己の印字機構で印字しない印字情報を、別の出力手段に送信し、前記検出手段が両出力手段の連結を検出しないとき、前記入力された印字情報の全てを印字する。
【０００８】
また、前記分割手段は、前記第一の出力手段に設けられ、その分割手段によって分割された別々の印字情報を、前記第一の出力手段及び第二の出力手段により各々印字出力することが望ましい。
【０００９】
さらに、前記分割手段は、前記印字情報をモノクロ情報とカラー情報とに分割し、そのモノクロ情報を前記第一の出力手段によって印字出力し、カラーの情報を前記第二の出力手段によって印字出力するように構成しても良い。
【００１０】
また、前記分割手段は、前記印字情報をモノクロのテキスト情報と、カラー及びグラフィック中のモノクロ情報とに分割し、そのモノクロのテキスト情報を前記第一の出力手段によって印字出力し、カラー及びグラフィック中のモノクロ情報を前記第二の出力手段によって印字出力するように構成しても良い。
【００１１】
そして、前記連結手段による連結時には、前記第二の出力手段を前記第一の出力手段に対して下流側に配置し、前記第一の出力手段による印字出力がなされた後に、前記第二の出力手段による印字出力を行うように構成することが望ましい。
【００１２】
また、前記第一の出力手段及び前記第二の出力手段は、それぞれ印字された記録媒体が排出される排出口と、記録媒体が挿入される挿入口とを有し、前記第一の出力手段による印字出力がなされた記録媒体は、第一の出力手段の排出口から排出されると共に、第二の出力手段の挿入口に連続して挿入されるように構成しても良い。
【００１３】
さらに、前記検出手段により両出力手段が連結されたことが検出された場合、前記第一の出力手段による出力速度を、単独で動作している場合よりも遅くすることが望ましい。
【００１４】
そして、前記検出手段は、前記第一の出力手段と第二の出力手段とが連結されたことが検出された場合に、前記電子写真印字機構に対して信号を出力する感知部を備えていることが望ましい。
【００１５】
【作用】
上記の構成を有する複合出力機器によれば、異なる印字機構を複数個備えた複合出力機器において、電子写真印字機構を有し単独で動作可能な第一の出力手段と、インクジェット印字機構を有し単独で動作可能な第二の出力手段と、前記第一の出力手段と前記第二の出力手段とを相互に連結する連結手段と、その連結手段による連結時に、前記双方の出力手段が互いに関連して複合印字動作するように制御する制御手段と、前記第一の出力手段と前記第二の出力手段とが相互に連結されたか否かを検出する検出手段と、外部から印字情報が入力される前記出力手段に設けられ、前記検出手段が両出力手段の連結を検出したときに、前記入力された印字情報を分割するための分割手段とを備え、前記印字情報が入力された出力手段は、前記検出手段が両出力手段の連結を検出したとき、前記分割手段により分割された印字情報の中で自己の印字機構で印字しない印字情報を、別の出力手段に送信し、前記検出手段が両出力手段の連結を検出しないとき、前記入力された印字情報の全てを印字することから、その連結手段による連結時には、制御手段が、前記双方の出力手段が互いに関連して複合印字動作するように制御するので、容易に複合出力機器を形成することができ、また、連結手段による連結がされていない時には、出力手段が入力された印字情報の全てを印字するので、出力手段を単独で用いることもできる。
【００１６】
また、前記分割手段は前記第一の出力手段に設けられ、その分割手段によって分割された別々の印字情報を、前記第一の出力手段及び第二の出力手段により各々印字出力するので、それぞれの出力手段の特色を生かした高品質の出力結果を得ることができる。
【００１７】
さらに、前記分割手段は、前記印字情報をモノクロ情報とカラー情報とに分割し、そのモノクロ情報を前記第一の出力手段によって印字出力し、カラーの情報を前記第二の出力手段によって印字出力するように構成しているので、比較的容易に前記印字情報を分割することができる。
【００１８】
また、前記分割手段は、前記印字情報をモノクロのテキスト情報と、カラー及びグラフィック中のモノクロ情報とに分割し、そのモノクロのテキスト情報を前記第一の出力手段によって印字出力し、カラー及びグラフィック中のモノクロ情報を前記第二の出力手段によって印字出力するように構成しているので、グラフィック中のモノクロ部分も第二の出力手段によって出力することができ、自然なグラフィックの出力結果を得ることができる。
【００１９】
そして、前記連結手段による連結時には、前記第二の出力手段を前記第一の出力手段に対して下流側に配置し、前記第一の出力手段による印字出力がなされた後に、前記第二の出力手段による印字出力を行うように構成しているので、第二の出力手段の出力が第一の出力手段の定着等による熱的影響を受けにくく、品質の高い印字結果を得ることができる。
【００２０】
また、前記第一の出力手段及び前記第二の出力手段は、それぞれ印字された記録媒体が排出される排出口と、記録媒体が挿入される挿入口とを有し、前記第一の出力手段による印字出力がなされた記録媒体は、第一の出力手段の排出口から排出されると共に、第二の出力手段の挿入口に連続して挿入されるように構成しているので、記録媒体は前記第一の出力手段から第二の出力手段に自動的に移動し、オペレータが記録媒体を移動させる必要がない。
【００２１】
さらに、前記検出手段により両出力手段が連結されたことが検出された場合、前記第一の出力手段による出力速度を、単独で動作している場合よりも遅くするように構成されているので、記録媒体が前記第一の出力手段と第二の出力手段との間で滞留することなく、スムーズな印字動作が可能になる。
【００２２】
そして、前記検出手段は、前記第一の出力手段と第二の出力手段とが連結されたことが検出された場合に、前記電子写真印字機構に対して信号を出力する感知部を備えているので、この信号に基づいて、容易に両出力手段の連結を検出することができ、前記電子写真印字機構の動作を確実に切り替えることができる。
【００２３】
【実施例】
以下、本発明の複合出力機器を具体化した実施例について図面を参照して説明する。
【００２４】
まず、第一の実施例の複合出力機器の斜視図を図１に、ブロック図を図２にそれぞれ示す。
【００２５】
図１及び図２に示すように、第一の実施例の複合出力機器１０は、インクジェット印字機構１２、及びそのインクジェット印字機構１２を制御するインクジェット出力制御機構１４を備え、単独での動作を可能とするインクジェット印字部１６と、電子写真印字機構１８、及びその電子写真印字機構１８を制御する電子写真出力制御機構２０を備え、単独での動作を可能とする電子写真印字部２２とから構成され、インクジェット印字部１６側に設けられた出力端子２６と、電子写真印字部２２側に設けられた入力端子２８とをケーブル２７を用いて連結することにより、インクジェット印字部１６と電子写真印字部２２とが電気的に接続され、複合出力が可能な状態になるように構成されている。
【００２６】
そして、本実施例のインクジェット印字部１６が本発明の第二の出力手段を、電子写真印字部２２が本発明の第一の出力手段を、ケーブル２７が本発明の連結手段をそれぞれ構成している。
【００２７】
また、外部のパーソナルコンピュータ等に接続されたケーブル２３が、前記インクジェット印字部１６に設けられた入力端子２４と接続されており、パーソナルコンピュータ等から送られる印字情報は、インクジェット印字部１６の入力端子２４からインクジェット出力制御機構１４に入力され、さらに、インクジェット印字部１６からの出力は、出力端子２６から電子写真印字部２２の入力端子２８に送られ、電子写真出力制御機構２０に入力される。
【００２８】
さらに、インクジェット印字部１６には、記録媒体である用紙を蓄えるペーパフィーダ３０が備えられている。
【００２９】
本実施例の電子写真印字部２２における電子写真出力機構２０の構成を図３に基づいて簡単に説明する。本実施例の電子写真印字機構１８は、感光体ドラム１１１１、その感光体ドラム１１１を一様に帯電する帯電器１１２、帯電された感光体ドラム１１１の表面を走査レーザ光等により露光して静電潜像を形成する露光器１１３この静電潜像を所定の極性に帯電した現像剤により顕像化する現像器１１４、現像された画像を用紙Ｐに転写する転写器１１５、転写画像を熱等のエネルギーを利用して定着する定着器１１６とから構成されている。
【００３０】
このように構成された電子写真印字機構１８は、前記電子写真出力制御機構２０によって制御されており、帯電器１１２によって一様に帯電された感光体ドラム１１１の表面を、電子写真出力制御機構２０からの画像信号に応じて、露光器１１３により露光することにより静電潜像を形成する。この静電潜像に従って、現像剤による画像が感光体ドラム１１１上に形成され、さらに、転写器１１５により画像が用紙Ｐに転写され、その転写画像が定着器１１６により定着されて用紙Ｐ上に画像信号に従った画像が形成される。
【００３１】
続いて、本実施例のインクジェット印字部１６におけるインクジェット印字機構１２の構成を図４及び図５に基づいて簡単に説明する。本実施例のインクジェット印字機構１２が具備するインクジェットプリントヘッド２００は、図４及び図５に示すように、ノズルプレート２０１、圧電セラミックプレート２０２、カバープレート２０３及びインク室２０４を備えている。ノズルプレート２０１には、イエローインクが吐出するノズル２０１Ｙ、マゼンダインクが吐出するノズル２０１Ｍ、シアンインクが吐出するノズル２０１Ｃ、及びブラックインクが吐出するノズル２０１Ｂｋが設けられている。
【００３２】
このように構成されたインクジェットプリントヘッド２００は、前記インクジェット出力制御機構１４によって制御され、インクジェット出力制御機構１４からの画像信号に応じて、圧電セラミックプレート２０２のインク室２０４の体積が変化し、その結果、インクがノズルプレート２０１から吐出され、画像信号に従ったカラー画像を用紙上に形成する。
【００３３】
次に、上記の構成を有する本実施例の複合出力機器１０の動作について、図７に示すフローチャートに基づいて説明する。尚、インクジェット出力制御機構１４による処理を図７（ａ）に、は電子写真出力制御機構２０による処理を図７（ｂ）にそれぞれ示す。
【００３４】
また、パーソナルコンピュータ（図示せず）から送られる、テキスト情報とカラーグラフィック情報とが混在した印字情報の一例として、図６（ａ）に示すような印字結果を得る場合を想定する。ここで、図６（ａ）に示す印字情報５０には、カラーのテキスト情報５２、モノクロのテキスト情報５４、カラーグラフィック情報５６が含まれている。
【００３５】
パーソナルコンピュータからの印字情報５０は、入力端子２４を介してインクジェット出力制御機構１４に入力され（ステップ６０、以下Ｓ６０と略称する。他のステップも同様）、このインクジェット出力制御機構１４において、印字情報５０がモノクロのテキスト情報５４と、カラーのテキスト情報５２・グラフィック情報５６とに分離される（Ｓ６２）。カラーのテキスト情報５２・グラフィック情報５６は、インクジェット出力制御機構１４内のバッファ（図示せず）に蓄えられ、モノクロのテキスト情報５４は、印字情報として出力端子２６、ケーブル２７及び入力端子２８を介して電子写真印字部２２の電子写真出力制御機構２０へ送られる（Ｓ６４）。
【００３６】
図７（ａ）中のＳ６４において送信されたモノクロのテキスト情報５４は、電子写真出力制御機構２０において受信され（図７（ｂ）中のＳ７０）、その受信したデータに基づいて、電子写真印字機構１８によってモノクロのテキスト情報５４のみが印字され（Ｓ７２）、図６（ｂ）に示すような印字結果を得る。
【００３７】
次に、電子写真印字部２２による印字出力がなされた用紙を、インクジェット印字部１６のペーパフィーダ部３０にセットすると、図７（ａ）に示すフローチャート中のＳ６６において、用紙がセットされたことが確認され、インクジェット印字部１６のインクジェット印字機構１２によってカラーのテキスト情報５２・グラフィック情報５６（図６（ｃ）の部分）が印字され（Ｓ６８）、最終的に図６（ａ）に示す印字結果が得られ、出力が完了する。
【００３８】
このように、第一の実施例によれば、単独で動作可能なインクジェット印字部１６と電子写真印字部２２とをケーブル２７によって連結することにより、容易に複合出力機器１０を形成することができる。そして、パーソナルコンピュータから送られる印字情報５０をモノクロのテキスト情報５４と、カラーのテキスト情報５２・グラフィック情報５６とに分割するように構成し、モノクロのテキスト情報５４を電子写真印字部２２によって印字出力し、カラーのテキスト情報５２・グラフィック情報５６をインクジェット印字部１６によって印字出力しているので、グラフィック中のモノクロの部分についてもインクジェット印字部１６によって出力することができ、自然なグラフィックの印字結果を得ることができる。また、モノクロのテキストの部分は、電子写真印字部２２の特性を生かして品質の良いテキスト印字結果を得ることができる。
【００３９】
また、電子写真印字部２２による印字がなされた後に、インクジェット印字部１６による印字を行うように構成しているので、インクジェット印字部１６による印字結果が電子写真印字機構における定着等による熱的影響を受けにくく、品質の高い印字結果を得ることができる。
【００４０】
続いて、第二の実施例の複合出力機器について図面に基づいて説明する。
【００４１】
第二の実施例の複合出力機器の斜視図を図８に、ブロック図を図９にそれぞれ示す。
【００４２】
図８及び図９に示すように、第二の実施例の複合出力機器８０は、インクジェット印字機構８２、及びそのインクジェット印字機構８２を制御するインクジェット出力制御機構８４を備え、単独での動作を可能とするインクジェット印字部８６と、電子写真印字機構８８、及びその電子写真印字機構８８を制御する電子写真出力制御機構９０を備え、単独での動作を可能とする電子写真印字部９２とから構成され、インクジェット印字部１６側に設けられた出力端子１００と、電子写真印字部２２側に設けられた入力端子１０２とをケーブル１０１を用いて連結することにより、インクジェット印字部８６と電子写真印字部９２とが電気的に接続され、複合出力が可能な状態になるように構成されている。
【００４３】
また、外部のパーソナルコンピュータ等に接続されたケーブル１０１が、前記インクジェット印字部１６に設けられた入力端子９８と接続されており、パーソナルコンピュータ等から送られる印字情報は、インクジェット印字部８６の入力端子９８からインクジェット出力制御機構８４に入力され、さらに、インクジェット印字部８６からの出力は、出力端子１００から電子写真印字部９２の入力端子１０２に送られ、電子写真出力制御機構９０に入力される。
【００４４】
ここで、インクジェット印字部８６と電子写真印字部９２は、ケーブル１０１により一体的に接続された場合には複合出力機器８０として機能するが、この接続時には、インクジェット印字部８６の背面に設けられた突起９６が、電子写真印字部９２の前面に設けられた接続検出機構９４に作用して、インクジェット印字部８６と電子写真印字部９２とが連結された状態にあることをインクジェット出力制御機構８４及び電子写真出力制御機構９０にて検出することができる。具体的には、前記突起９６が前記接続検出機構９４に挿入されると、インクジェット印字部８６のインクジェット出力制御機構８４、及び電子写真印字部９２の電子写真出力制御機構９０に信号が送られ、この信号により、インクジェット印字部８６と電子写真印字部９２とが連結されたことが検出される。
【００４５】
そして、前記突起９６及び接続検出機構９４が、本発明の検出手段を構成し、特に、接続検出機構９４が本発明の感知部を構成している。
【００４６】
また、電子写真印字部９２には記録媒体である用紙を挿入するための挿入口９１、及び印字された用紙が排出される排出口１０４が設けられており、また、インクジェット印字部８６にも電子写真印字部９２において印字された用紙が挿入される挿入口８１、及び印字された用紙が排出される排出口８３が設けられており、前記電子写真印字部９２の排出口１０４と、インクジェット印字部８６の挿入口８１とは連結されており、電子写真印字部９２において印字された用紙が、そのまま自動的にインクジェット印字部８６の挿入口８１に送られる。
【００４７】
以上の構成を有する複合出力機器８０の各印字部の構成については、基本的には第一の実施例と同一であるため、詳細な説明は省略するが、接続検出機構９４に関連する動作について図１０のフローチャートに基づいて説明する。
【００４８】
パーソナルコンピュータからの印字情報は、入力端子９８を介してインクジェット出力制御機構８４に入力され、インクジェット出力制御機構８４は印字情報を受信すると、現在インクジェット印字部８６と電子写真印字部９２とが接続されているか否かを判断する（Ｓ１３２）。ここで、両印字部が接続されている場合は、前記接続検出機構９４からインクジェット出力制御機構８４に対して信号が送られるので、この信号が送られているか否かを見ることによって両印字部の接続状態を判断することができる。もし、接続されていないと判断された場合（Ｓ１３２：Ｎ）、印字情報はインクジェット印字部８６によって全て印字される（Ｓ１３６）。
【００４９】
また、接続されていると判断された場合は（Ｓ１３２：Ｙ）、インクジェット出力制御機構８４において、印字情報がモノクロ情報とカラー情報とに分離される。そして、カラー情報は、インクジェット出力制御機構８４内のバッファ（図示せず）に蓄えられ、モノクロ情報は、印字情報として出力端子１００、ケーブル１０１及び入力端子１０２を介して電子写真印字部９２の電子写真出力制御機構８８へ送られる。
【００５０】
ここで、インクジェット印字部８６と電子写真印字部９２とが接続されると、前記接続検出機構９４から電子写真出力制御機構９０に対しても信号が送られ、電子写真出力制御機構９０は、この信号を検出した場合、印字のプロセス速度を単独で動作する場合よりも低下させる（Ｓ１３４）。具体的には、インクジェット印字部８６のプロセス速度よりも遅くさせる。これは、通常、電子写真印字部９２のプロセス速度は、インクジェット印字部８６よりも速く、両印字部が接続された状態で、電子写真印字部９２を通常の速度で動作させると、インクジェット印字部８６側の印字が間に合わず、両印字部の間で用紙が滞留し、複合印字動作がスムーズに行われないため、両印字部の接続時には、電子写真印字部９２の印字のプロセス速度を遅くする必要がある。
【００５１】
そして、送信されたモノクロ情報は、電子写真出力制御機構９０において受信され、その受信したデータに基づいて、電子写真印字機構８８によってモノクロ情報のみが印字され、印字された用紙は排出口１０４からインクジェット印字部８６側に送られる。インクジェット印字機構８２においては、カラー情報が印字され、モノクロ情報とカラー情報とが印字された用紙が、最終的にインクジェット印字部８６の排出口８３から排出される（Ｓ１３６）。
【００５２】
このように、第二の実施例によれば、単独で動作可能なインクジェット印字部８６と電子写真印字部９２とをケーブル１０１によって連結することにより、容易に複合出力機器８０を形成することができる。そして、パーソナルコンピュータから送られる印字情報をモノクロ情報とカラー情報５２とに分割するように構成しているので、比較的容易な処理によって印字情報を分割することができる。
【００５３】
また、電子写真印字部９２による印字がなされた後に、インクジェット印字部８６による印字を行うように構成しているので、インクジェット印字部８６による印字結果が電子写真印字機構における定着等による熱的影響を受けにくく、品質の高い印字結果を得ることができる。
【００５４】
さらに、電子写真印字部９２からインクジェット印字部８６への用紙の移動は、自動的に行われるので、使い勝手が良くなる。
【００５５】
また、インクジェット印字部８６と電子写真印字部９２との連結を、突起９６及び接続検出機構９４によって検出し、その検出結果に基づき、電子写真印字機構８８のプロセス速度を自動的に低下させるので、複合出力機器８０としての出力動作をスムーズに行うことができる。
【００５６】
尚、本発明の複合出力機器は、上記した実施例に限定されるものではなく、種々の変更を加えることができる。
【００５７】
例えば、本実施例においては、パーソナルコンピュータからの印字情報が、インクジェット印字部側の出力制御機構に送られ、そこで分割されるように構成したが、印字情報は、電子写真印字部側の出力制御機構に送られ、そこで分割されるように構成しても良い。
【００５８】
また、インクジェット印字機構８２としては、通常の水溶性の染料系インクを用いた方式以外に、顔料系インク等を使用した熱溶融型インクを用いたもの等、いかなるインクジェットの方式でも利用することができる。
【００５９】
さらに、電子写真の基本構成要素としては、露光系、転写系等、どのような方式を用いても本発明が有効であることはいうまでもなく、一例として現像系には、磁性２成分、磁性１．５成分、非磁性１成分等いかなる方式を用いても良く、感光体の極性はプラスでもマイナスでも良い。
【００６０】
【発明の効果】
このように、本発明の複合出力機器によれば、第一の出力手段と第二の出力手段とを相互に連結する連結手段とを備え、その連結手段による連結時には、制御手段が、前記双方の出力手段が互いに関連して複合印字動作するように制御するので、簡単な構成で、カラー出力を可能とする複合出力機器を容易に形成することができ、また、必要に応じてそれぞれの出力手段を単独で用いることもでき、使い勝手が良い。
【００６１】
また、外部から入力される印字情報を分割するための分割手段によって分割された別々の印字情報を、前記第一の出力手段及び第二の出力手段により各々印字出力するので、それぞれの出力手段の特色を生かした高品質の出力結果を得ることができる。
【００６２】
さらに、前記第一の出力手段と第二の出力手段とが連結されたことを検出する検出手段により両出力手段が連結されたことが検出された場合、前記第一の出力手段による出力速度を、単独で動作している場合よりも遅くするように構成されているので、記録媒体が前記第一の出力手段と第二の出力手段との間で滞留することなく、スムーズな印字動作が可能になる。
【図面の簡単な説明】
【図１】第一の実施例の複合出力機器の斜視図である。
【図２】第一の実施例の複合出力機器の構成を示すブロック図である。
【図３】電子写真印字部の電子写真印字機構の構成を示す図である。
【図４】インクジェット印字部のインクジェット印字機構の構成を示す図である。
【図５】インクジェット印字部のインクジェット印字機構の構成を示す図である。
【図６】複合出力機器による印字例を示す図である。
【図７】第一の実施例の複合出力機器の動作を表わすフローチャートである。
【図８】第二の実施例の複合出力機器の斜視図である。
【図９】第二の実施例の複合出力機器の構成を示すブロック図である。
【図１０】第二の実施例の複合出力機器の動作を表わすフローチャートである。
【符号の説明】
１０，８０    複合出力機器
１２，８２    インクジェット印字機構
１４，８４    インクジェット出力制御機構
１６，８６    インクジェット印字部
１８，８８    電子写真印字機構
２０，９０    電子写真出力制御機構
２２，９２    電子写真印字部
２７，１０１  ケーブル
９４          接続検出機構
９６          接続検出用突起
【図１】
0003687131.tif 000002
【図２】
0003687131.tif 000003
【図３】
0003687131.tif 000004
【図４】
0003687131.tif 000005
【図５】
0003687131.tif 000006
【図６】
0003687131.tif 000007
【図７】
0003687131.tif 000008
【図８】
0003687131.tif 000009
【図９】
0003687131.tif 000010
【図１０】
0003687131.tif 000011